(57)【要約】【課題】製品の一部に集光樹脂を用い、特定の部位や方向に光を放出させることにより、内容物の吐出のタイミングや吐出方向を簡単に特定できる、あるいは、光源の弱い環境における製品の確認が簡単にできる吐出製品を提供する。【解決手段】倒立噴射用のエアゾール容器１１と、そのエアゾール容器に取り付けられる噴射装置１２とからなる吐出製品１０。噴射装置１２の先端（噴射孔）に集光樹脂製の先端ノズル（集光部）１５が設けられており、先端ノズル１５に入射される光が先端ノズルの先端面（放出面）１５ａから放出される。【選択図】図１
2012236630.tif 000002
【特許請求の範囲】
【請求項１】
弁機構を備えた包装容器と、
その包装容器の弁機構に連結される噴射部材とを有し、
前記噴射部材の一部に、かつ、前記噴射部材の噴射口近辺に設けられている集光樹脂製の集光部を備えており、
前記集光部が、前記集光部に入射された光を放出する放出面を備えている、
吐出製品。
【請求項２】
前記集光部が、基端が弁機構と連通し、先端が噴射口である筒状のノズルであり、
前記ノズルの先端面が放出面である、
請求項１記載の吐出製品。
【請求項３】
前記集光部が、前記噴射口を囲むリング部材であり、
前記リング部材の先端面が放出面である、
請求項１記載の吐出製品。
【請求項４】
弁機構を備えた包装容器と、
その包装容器の弁機構に連結される噴射部材と、
前記包装容器に取り付けられる集光樹脂製のカバー部材と、
そのカバー部材に取り付けられる不透明なキャップとを有し、
前記カバー部材が、キャップを取り付けることにより覆われ、カバー部材に入射された光を放出する放出面を備えている、
吐出製品。
【請求項５】
弁機構を備えた透光性の包装容器と、
その包装容器の弁機構に連結される噴射部材と、
前記包装容器に取り付けられる筒状の集光樹脂製のキャップとを有し、
前記キャップが、キャップに入射された光を放出する放出面を備えており、
前記包装容器が、その表面に表示部を備えており、
前記キャップを包装容器に取り付けたとき、放出面から放出された光が前記表示部を照射するように構成されている、
吐出製品。
【請求項６】
前記表示部が蛍光塗料によって構成されている、請求項５記載の吐出製品。
【請求項７】
弁機構を備えた包装容器と、
その包装容器の弁機構に連結される噴射部材と、
前記噴射部材に取り付けられる照明部と、
前記照明部を内蔵する、集光樹脂製の略球状のカバー部とを有し、
前記噴射部材を操作することにより照明部が点灯し、カバー部から放出される
吐出製品。
【発明の詳細な説明】
【技術分野】
【０００１】
本発明は吐出製品に関する。
【背景技術】
【０００２】
吐出製品は、容器内にある内容物に圧力をかけて外部に噴射するものである。このような吐出製品は、噴射された内容物（以下、噴射物）を目視して、噴射物の行方を確かめる。しかし、噴射物は透明であり、特に霧状に噴射した場合は光源が弱い環境等において噴射物の噴射方向を確認することは困難である。
【０００３】
例えば、特許文献１には、噴射ボタンに噴出口位置を示す発光性材料からなる表示が設けられたエアゾール式噴出器が開示されている。また、特許文献２には、発光剤組成物を用いたエアゾール製品が開示されている。
【先行技術文献】
【特許文献】
【０００４】
【特許文献１】特開２０１０−４７２９５号公報
【特許文献２】特開２００５−５３４８４号公報
【発明の概要】
【発明が解決しようとする課題】
【０００５】
本発明は、製品の一部に集光樹脂を用い、特定の部位や方向に光を放出させることにより、内容物の吐出のタイミングや吐出方向を簡単に特定できる、あるいは、光源の弱い環境における製品の確認が簡単にできる吐出製品を提供することを目的としている。
【課題を解決するための手段】
【０００６】
本発明の吐出製品は、弁機構を備えた包装容器と、その包装容器の弁機構に連結される噴射部材とを有し、前記噴射部材の一部に、かつ、記噴射部材の噴射口近辺に設けられた集光樹脂製の集光部を備えており、前記集光部が、前記集光部に入射された光を放出する放出面を備えていることを特徴としている。集光樹脂とは、直射光および拡散光を表面で集光し、それを蛍光に変えるものであって、プレート状に成型したものはプレートの表面に入射した光をプレート内でその大部分を全反射しながらプレート端面へ誘導し、濃密化した状態で放出するものである。
このような吐出製品であって、前記集光部が、基端が弁機構と連通し、先端が噴射口である筒状のノズルであり、前記ノズルの先端面が放出面であるものが好ましい。また、前記集光部が、前記噴射口を囲むリング部材であり、
前記リング部材の先端面が放出面であってもよい。
【０００７】
本発明の吐出製品の第２の態様は、弁機構を備えた包装容器と、その包装容器の弁機構に連結される噴射部材と、前記包装容器に取り付けられる集光樹脂製のカバー部材と、そのカバー部材に取り付けられる不透明なキャップとを有し、前記カバー部材が、キャップを取り付けることにより覆われ、カバー部材に入射された光を放出する放出面を備えていることを特徴としている。
【０００８】
本発明の吐出製品の第２の態様であって、弁機構を備えた透光性の包装容器と、その包装容器の弁機構に連結される噴射部材と、前記包装容器に取り付けられる筒状の集光樹脂製のキャップとを有し、前記キャップが、キャップに入射された光を放出する放出面を備えており、前記包装容器が、その表面に表示部を備えており、前記キャップを包装容器に
取り付けたとき、放出面から放出された光が前記表示部を照射するように構成されていることを特徴としている。
このような吐出製品であって、前記表示部が蛍光塗料によって構成されているものが好ましい。
【０００９】
本発明の吐出製品の第３の態様であって、弁機構を備えた包装容器と、その包装容器の弁機構に連結される噴射部材と、前記噴射部材に取り付けられる照明部と、前記照明部を内蔵する、集光樹脂製の略球状のカバー部とを有し、前記噴射部材を操作することにより照明部が点灯し、カバー部から放出されることを特徴としている。
【発明の効果】
【００１０】
本発明の吐出製品は、内容物を収納する弁機構を備えた包装容器と、その包装容器の弁機構に連結される噴射部材とを有し、前記噴射部材の一部に、集光樹脂から成形される集光部を備えており、前記集光部が、前記噴射部材の噴射口近辺に設けられており、前記集光部に入射された光を放出する放出面を備えているため、噴射口近辺には光が照射されている。そのため、噴射口から噴射される内容物を確認しやすい。
このような吐出製品であって、前記集光部が、基端が弁機構と連通し、先端が噴射口である筒状のノズルであり、前記ノズルの先端面が放出面である場合、内容物の噴射方向を一層確認しやすい。特に内容物中に液化ガスを含有している場合は、液化ガスがノズルを通過するときに冷却されても放出面が見えやすい。
前記集光部が、前記噴射口を囲むようにリング部材であり、前記リング部材の先端面が放出面である場合、噴射口の周囲を光で照射するため、どの向きからでも噴射口の位置を確認でき、内容物が噴霧されていることを詳細に確認できる。
【００１１】
本発明の吐出製品の第２の態様は、弁機構を備えた包装容器と、その包装容器の弁機構に連結される噴射部材と、前記包装容器に取り付けられる集光樹脂製のカバー部材と、そのカバー部材に取り付けられる不透明なキャップとを有し、前記カバー部材が、キャップを取り付けることにより覆われ、カバー部材に入射された光を放出する放出面を備えているため、吐出製品をカバンなどに入れる前にキャップが正常に装着されているか確認しやすく、キャップがカバンの中で外れて吐出されるのを防止できる。
【００１２】
本発明の吐出製品の第３の態様は、弁機構を備えた透光性の包装容器と、その包装容器の弁機構に連結される噴射部材と、前記包装容器に取り付けられる筒状の集光樹脂製のキャップとを有し、前記キャップが、キャップに入射された光を放出する放出面を備えており、前記包装容器が、その表面に表示部を備えており、前記キャップを包装容器に取り付けたとき、放出面から放出された光が前記表示部を照射するように構成されているため、製品を店頭で陳列しているときや家庭で製品を置いているときなど、キャップを装着している状態では表示部が見えやすくなり、使用者に表示部を注目させることができる。
このような吐出製品であって、前記表示部が蛍光塗料によって構成されている場合は表示部と他の部分の見え方の差が大きくなり、より一層注目させることができる。
【００１３】
本発明の吐出製品の第４の態様は、弁機構を備えた包装容器と、その包装容器の弁機構に連結される噴射部材と、前記噴射部材に取り付けられる照明部と、前記照明部を内蔵する、集光樹脂製の略球状のカバー部とを有し、前記噴射部材を操作することにより照明部が点灯し、カバー部から放出されるため、カバー部の球面が照明部から発せられた光の放出面となって光るため、カバー部を指で押しても光を見ることができる。
【図面の簡単な説明】
【００１４】
【図１】本発明の吐出製品の一実施形態を示す側面断面図である。
【図２】本発明の吐出製品の他の実施形態を示す側面断面図である。
【図３】図３ａは、本発明の吐出製品のさらに他の実施形態を示す側面断面図であり、図３ｂ、ｃは、図３ａの吐出製品に用いることができる先端ノズルの他の実施形態を示す一部側面断面図である。
【図４】図４ａは本発明の吐出製品のさらに他の実施形態を示す一部断面側面図であり、図４ｂはその機構を示す側面断面図であり、図４ｃは本発明の吐出製品のさらに他の実施形態を示す側面断面図である。
【図５】本発明の吐出製品のさらに他の実施形態を示す側面断面図である。
【図６】図６ａは、本発明の吐出製品のさらに他の実施形態を示す正面図、図６ｂ、ｃは、それぞれその一部正面断面図、一部側面断面図である。
【発明を実施するための形態】
【００１５】
図１の吐出製品１０は、倒立噴射用のエアゾール容器１１と、そのエアゾール容器に取り付けられる噴射装置１２とからなる。この吐出製品１０は、噴射装置１２の先端（噴射孔）に集光樹脂製の先端ノズル（集光部）１５が設けられており、先端ノズル１５に入射される光が先端ノズルの先端面（放出面）１５ａから放出されるように構成されている。
【００１６】
エアゾール容器１１は、耐圧容器１３と、その開口部に取り付けられるエアゾールバルブ１４とからなり、倒立した状態で使用するものである。
耐圧容器１３は、有底筒状の容器であって、上端に開口部を有するものである。例えば、金属板をインパクト加工、絞り・しごき加工などで有底筒状にし、その上部にネッキング加工などで肩部を形成し、その上端にカーリング加工などでビード部（開口部）を形成したものなどが挙げられる。しかし、硬質の合成樹脂や、耐圧ガラスなど他の材質で成形してもよい。
エアゾールバルブ１４は、耐圧容器１３の開口部に固着されるマウンティングカップ１４ａと、そのマウンティングカップの中央に保持されるハウジング１４ｂと、そのハウジング内に上下移動可能に収納され、上方に付勢されるステム１４ｃとを備えた倒立状態のときに使用するものである。つまり、このエアゾールバルブ１４は、常時耐圧容器１３を気密にし、使用時は、倒立状態でステム１４ｃを下方に押し下げる（実際は、上側に押し上げる）ことにより耐圧容器１３内と大気とを連通し、耐圧容器内の内容物を吐出するものである。
【００１７】
噴射装置１２は、エアゾール容器の上部に装着される筒状の噴射装置本体１６と、その噴射装置本体１６に対して上下動自在に連結され、かつ、エアゾール容器のステム１４ｃに連結されるノズル１７とを備えている。
噴射装置本体１６は、エアゾール容器のマウンティングカップ１４ａの外周に装着される筒状のカバー部２１と、そのカバー部２１に対して上下動自在に連結され、かつ、カバー部の上端に配置される操作部２２と、カバー部２１と操作部２２とを繋ぐヒンジ部２３とからなる。ヒンジ部２３は、カバー部２１と操作部２２とを繋ぐように形成された樹脂ヒンジである。しかし、カバー部２１および操作部２２とは別部材としてもよい。
【００１８】
カバー部２１は、エアゾールバルブ１４のマウンティングカップ１４ａの外周と係合する筒状の装着部２１ａと、その装着部２１ａより径が小さく、エアゾール容器の上部を覆う筒状のガード部２１ｂとからなる。装着部２１ａとガード部２１ｂを連結する段部２１ｃが、マウンティングカップ１４ａの外周上端と当接し、装着部２１ａの下端には、半径方向内側に突出する係合突起２１ｄが形成されている。また、ガード部２１ｂの上端周縁の一部にヒンジ部２３の一端が設けられている。
操作部２２は、平面状の操作基部２２ａと、その操作基部２２ａの中央を貫通し、上方に立ち上がる中心筒２２ｂと、操作基部２２ａに扇状に形成された押圧部２２ｃとが設けられている。操作基部２２ａの外周縁であって、押圧部２２ｃと１８０度相対する部位に、ヒンジ部２３の他端が設けられている。押圧部２２ｃは、操作基部２２ａより若干上方
に立ち上がった平面状の部位である。
【００１９】
ノズル１７は、筒状のノズル基部２５と、その先端に設けられる筒状の先端ノズル１５とからなる。
ノズル基部２５は、前記中心筒２２ｂに挿入される下筒部２５ａと、その上端にその下筒部２５ａより縮径し、先端ノズル１５に挿入される中筒部２５ｂと、その上端にその中筒部２５ｂより縮径した上筒部２５ｃとからなる。下筒部２５ａの下端外周には、半径方向外側に突出したフランジ部２５ｄが形成されており、下端面には、ステム１４ｃと係合するステム係合部２５ｅが形成されている。上筒部２５ｃの上端は塞がれており、その側面を貫通し、上筒部２５ｃの内部と外部とを連通する横連通孔２５ｆが複数個放射状に形成されている。ノズル基部２５の中心孔は、ステム係合部２５ｅと横連通孔２５ｆとを連続するノズル内通路２５ｇを構成する。
先端ノズル１５は、集光樹脂からなる半透明のものであり、先端ノズル１５の外周から入射される光が先端面１５ａに導かれ、先端面１５ａから放出されるように構成されている。
【００２０】
このように構成されているため、エアゾール容器１１を倒立状態とし、噴射装置の操作部２２の押圧部２２ｃを下方に押圧することにより、操作部２２の中心筒２２ｂ、ノズル基部２５を介してエアゾールバルブ１４のステム１４ｃを下方に移動させることができる。それにより、エアゾールバルブ１４が開放され、エアゾール容器１１内の内容物がノズル基部２５に導入される。導入された内容物は、ノズル内通路２５ｇを通り、上部筒２５ｃの天面に衝突する。この衝突により勢いが減じられた内容物は、横連通孔２５ｆより先端ノズル１５に至り、先端ノズル１５の開口部から吐出される。
一方、先端ノズル１５は集光樹脂製であり、光の入射面となる筒状の露出部分の面積が放出面となる先端面の面積よりも広く、先端ノズル１５に入射された光は先端面１５ａに誘導されるように構成されているため、先端面１５ａが光って見える。そのため、使用者は先端ノズル１５の先端面１５ａを悪条件（例えば、暗所等）でも目視することができ、先端ノズル１５を介して内容物が吐出されるタイミングがわかり、正確に使用することができる。特に、内容物が液化ガスを含んだものである場合、液化ガスが先端ノズル１５内で一部が気化し、先端ノズル１５を冷却することにより先端ノズル１５を曇らすことがある。しかし、そのように先端ノズル１５が曇っても吐出物が通過する部分の曇りが取れ、また先端面１５ａは発光しているため、吐出物が透明であっても噴射口から滴下されるタイミングがわかり、確実に内容物を対象体に投与することができる。
このように集光樹脂製の先端ノズル１５が、先端ノズル１５の外周から入射される光を先端面１５ａに導き、先端面１５ａから放出するため、使用者は対象体への内容物の滴下、あるいは、噴射が容易にできる。本実施形態では、包装容器としてエアゾール容器を挙げているが、ポンプ容器などの吐出容器を用いてもよい。
【００２１】
図２の吐出製品３０は、正立噴射用のエアゾール容器３１と、そのエアゾール容器に取り付けられる噴射装置３２とからなり、噴射装置３２の中央の噴射孔近辺に集光樹脂製のリング（集光部）３３が設けられている。また、リング３３は、そのリング３３に入射される光を、噴射孔を照らすように放出する傾斜面（放出面）３３ａを備えている。
エアゾール容器３１は、耐圧容器１３と、その開口部に取り付けられるエアゾールバルブ３４とからなる。耐圧容器１３は、実質的に図１の耐圧容器１３と同じものである。エアゾールバルブ３４は、常時耐圧容器１３を気密にし、使用時は、正立状態でステム１４ｃを下方に押し下げることにより耐圧容器１３内と大気とを連通し、耐圧容器内の内容物を吐出するものである。
【００２２】
噴射装置３２は、エアゾール容器３１の上部に装着される筒状のカバー部３６と、そのカバー部３６に対して回動自在に連結され、かつ、エアゾール容器のステム１４ｃに連結
される操作部３７とを備えている。
【００２３】
カバー部３６は、エアゾールバルブ１４のマウンティングカップ１４ａの外周と係合する筒状の装着部３６ａと、その装着部３６ａを囲むように設けられた筒状の支持部３６ｂと、径が装着部３６ａより大きく、支持部３６ｂより小さい、エアゾール容器の上部を覆うガード部３６ｃと、装着部３６ａの上端、支持部３６ｂの上端およびガード部３６ｃの下端とをつなぐ円板状の基部３６ｄとからなる。
装着部３６ａの下端には、半径方向内側に突出する係合突起３６ｅが形成されている。つまり、基部３６ｄの下面と装着部３６ａとでマウンティングカップ１４ａに装着される。
支持部３６ｂの下端は、エアゾール容器の耐圧容器１３の肩部と当接するように構成されている。これにより噴射装置３２をエアゾール容器の肩部で支持させ、噴射装置３２をエアゾール容器の上部に安定に連結される。
ガード部３６ｃの上端がテーパー状に形成されている。つまり、側端（図２の左端）から他側端（図２の右端）に向かって段々高くなるように構成されている。また、一番低い位置に操作部３７の前後（図２の表裏方向）水平方向の軸心を受け入れる軸受け３６ｆが形成されている。
基部３６ｄは、中心にステム１４ｃを通す中心孔を備えた円板状の部位である。
【００２４】
操作部３７は、円筒状のノズル基部３７ａと、その上端に水平方向に対して傾いて設けられる円板状の操作基部３７ｂと、その中央に装着されるリング３３とからなる。
ノズル基部３７ａは、下端にステム１４ｃと連結するステム係合部２５ｅが形成されている。
操作基部３７ｂは、中心に噴射孔３８ａを備えた円状の凹部３８ｂが中央に形成されており、最下点にある縁部に前後水平方向に延びる軸心３８ｃが形成されている。一方、最高点にある縁部が平面状の押圧部３８ｄとなっている。噴射孔３８ａはノズル基部３７ａの中心孔と連通している。
つまり、操作部３７は、軸心３８ｃをカバー部３６の軸受け３６ｆに係合させ、ノズル基部３７ａをステム１４ｃに係合させることにより、円板状の操作基部３７ｂの押圧部３８ｄが上方を向くように傾いた状態となる。
リング３３は集光樹脂からなる半透明のものであり、操作基部の凹部３８ｂに挿入され、上部が凹部３８ｂから突出している。この突出している部分が光の入射面になり、その面積を放出面となる上端の内側に傾斜した傾斜面３３ａの面積よりも大きくし、リング３３に入射した光が傾斜面（放出面）３３ａから放出されるように構成されている。
【００２５】
このように構成されているため、噴射装置３２の押圧部３８ｄを下方に押し下げることにより、ノズル基部３７ａを介してステム１４ｃを押し下げることができる。それにより、エアゾール容器３１内の内容物がノズル基部３７ａの噴射孔３８ａから内容物が噴霧される。
一方、噴射装置の操作基部の噴射孔３８ａを囲むようにリング３３が設けられており、そのリング３３に入射された光は傾斜面３３ａに誘導されるように構成されているため、リング３３が受ける光を傾斜面３３ａから放出し、噴射孔３８ａが配置されたリング３３内近辺を照らす。そのため、使用者は、噴射孔を確認することができる。特に、噴射装置に押し下げた状態に押圧部３８ｃを保持するロック機構（図２の係止部３９（想像線））を備えている場合、使用者は押圧部３８ｃを操作した後、噴射孔３８ｃの向きを確認しながら避難することができる。
【００２６】
図３の吐出製品４０は、正立噴射用のエアゾール容器４１と、そのエアゾール容器に取り付けられる噴射装置４２とからなり、噴射装置４２の先端（噴射孔）に集光樹脂製の先端ノズル（集光部）１５が設けられている。先端ノズル１５は、図１の先端ノズル１５と
同様に、先端ノズル１５に入射される光が先端ノズルの先端面（放出面）１５ａに導かれ、放出されるように構成されている。
【００２７】
エアゾール容器４１は、前部に上下方向に延びる表示部４１ａが設けられている。この表示部４１ａは、蛍光塗料によりマークや文字、デザインなどの表示を印刷したシールなどをエアゾール容器４１やその外部に設けられるシュリンクフィルムなどに貼り付けたものである。他の構成は、図１のエアゾール容器１１と実質的に同じものである。
噴射装置４２は、筒状のカバー部４３と、エアゾールバルブのステム１４ｃに連結される押ボタン４４とからなる。
【００２８】
カバー部４３は、エアゾールバルブ１４のマウンティングカップ１４ａの外周と係合する筒状の装着部４３ａと、その上端に連続して形成される筒状のガード部４３ｂとからなる。ガード部４３ｂの上部前方には、前方に突出した２枚の突出片４５ａと、その間に設けられた開口部４５ｂとが形成されている。突出片４５ａには、後述する回動部の回動軸と連結する軸受け（図示せず）が設けられている。さらに、ガード部４３ｂの上部後方は、押ボタン４４を操作するための後方開口部４５ｃが形成されている。
【００２９】
押ボタン４４は、押ボタン本体４６と、その前方上部に連結されるノズル４７とからなる。ノズル４７は、水平方向の軸心を中心に上下に回動するものである。
押ボタン本体４６は、略直方体の形状を有するものであり、下端中央に設けられたステム１４ｃと係合するステム係合部４６ａと、前方上部に設けられるノズル係合部４６ｂと、ステム係合部４６ａとノズル係合部４６ｂとを連通するボタン内通路４６ｃとからなる。
ノズル４７は、押ボタン本体に連結される回動部４８と、その先端に設けられる筒状の先端ノズル１５とからなる。
【００３０】
回動部４８は、先端で先端ノズル１５と連結し、基端が回動の中心となる基軸部４８ａと、先端で基軸部４８ａの回動を支持し、基端で押ボタン４４のノズル係合部４６ｂに連結される筒状の挟持部材４８ｂとからなり、基軸部４８ａと挟持部４８ｂとでボールソケットジョイントを構成している。基軸部４８ａには、先端が水平に向いたときノズル４７と押ボタン４４とを連通させ、先端が下方に向いたときノズル４７と押ボタン４４とを遮断する通路４８ｃが形成されている。さらに、基軸部４８ａの外周には、左右方向（図３の表裏方向）に延びる回動軸（図示せず）が突出して設けられている。そのため、回動部４８は、基軸部（先端ノズル１５）の先端を水平方向と下方向との間を回動軸まわりに９０度回動できるように構成されており、先端が水平方向を向いているときは、押ボタン４４と先端ノズル１５とを連通し、先端が下方向を向いているときは押ボタン４４と先端ノズル１５とを遮断する。つまり、この噴射装置４２は、基軸部４８ａ（先端ノズル１５）の先端を水平方向に向けて使用したときに本発明の効果が得られるものである。
先端ノズル１５は、回動部４８の先端に挿入される円筒状のものであり、先端に段部を設け、先端でリング状に2箇所光るものである。なお段部を複数個設け、３箇所以上光ら
せることもできる。
【００３１】
このように構成されているため、先端ノズル１５の先端が水平方向に向いた状態で、噴射装置４２の押ボタン４４を下方に押し下げると、ステム１４ｃが押し下げられ、エアゾールバルブが開放される。それにより、エアゾール容器４１内の内容物が先端ノズル４２の先端から噴射される。
また、先端ノズル１５は、集光樹脂製であり、先端ノズル１５の筒状部に入射された光は先端面１５ａに誘導されるように構成されているため、側面から受ける光を先端面１５ａから放出し、先端面１５ａが光る。そのため、使用者は悪条件（例えば、暗所等）でも正確に内容物を対象物に噴射させることができる。さらに、この吐出製品では、エアゾー
ル容器４１の前面にも上下に延びる表示部４１ａを備えているため、使用しておらず、先端ノズル１５ａの先端を下方に向けたときでもノズルの先端から発せられる光により表示やノズル先端が見やすくなり、吐出製品の状態や位置を目視で確認することができる。
図３ｂの先端ノズル１５は、先端面１５ａが本体に対して拡径しているものである。このように先端面の表面積を大きくすることにより、先端面１５ａをより明確に確認することができる。
図３ｃの先端ノズル１５は、ノズル本体１５ｂと、その先端に設けられるノズルチップ１５ｃとからなり、ノズルチップ１５ｃが集光樹脂から成形される。その形状は、図３ｂのノズル１５と同様に先端面１５ａがノズル本体１５ｂに対して拡径している。この場合も、先端面の表面積を大きくすることができ、先端面１５ａをより明確に確認できる。ノズル本体１５ｂとしては、透光性の合成樹脂を用いるのが好ましい。しかし、非透光性であってもよく、その材料は特に限定されるものではない。
【００３２】
図４ａの吐出製品６０は、集光樹脂製のキャップ６１を備えたものである。詳しくは、エアゾール容器６２と、それに取り付けられる押ボタン５３と、エアゾール容器６２の上部に押ボタン５３を覆うように取り付けられるキャップ６１とからなり、キャップ６１から放出される光でエアゾール容器６２の表示を照らすものである。押ボタン５３は、図４の押ボタン５３と実質的に同じものである。
【００３３】
エアゾール容器６２は、ポリエチレンテレフタレートなどの透光性を有する合成樹脂製の耐圧容器６２ａと、耐圧容器に取り付けられるエアゾールバルブ６２ｂとからなる。耐圧容器６２ａは、底部６３ａ、胴部６３ｂ、肩部６３ｃを有し、胴部６３ａと肩部６３ｃとの間に段部６３ｄが形成されている。また、耐圧容器６３は、胴部６３ｂに蛍光塗料によってイラスト、デザイン、マーク、文字等の表示が描かれた表示部６２ａを備えている。他の構成は、図３のエアゾール容器３１と実質的に同じである。
キャップ６１は、上面を有し、集光樹脂からなる半透明のものであり、入射した光を下端面６１ａに誘導するように、光の入射面となるキャップ側面を筒状とし、その面積を、光の放出面となる下端面６１ａの面積よりも大きくしている。そして、下端面６１ａがエアゾール容器６２の段部６２ｄに係合することによって連結される。
【００３４】
このように構成されているため、図４ｂに示すように、キャップ６１をエアゾール容器６２に装着しているとき、キャップ６１に入射する光（Ｌ１）は、キャップ６１の集光樹脂内で反射して下端面６１ａに導かれる。そして、耐圧容器１３は、透光性の樹脂からなるため、段部６３ｄ（胴部６３ｂの上端）から下方に照射される光は、エアゾール容器の胴部６３ｂに到達し、蛍光塗料によって表示された表示部６２ａが光る。このようにキャップ６１を取り付けたとき、エアゾール容器６２の表示部６２ａが光り、使用者は吐出製品６０の表示部を簡単に目認することができる。
一方、キャップ６１を取り外した後は、キャップ６１からの反射光はなくなるため、表示部６２ａも消える。
【００３５】
図４ｃの吐出製品６０ｂのように、エアゾール容器６２の底部６３ａに集光樹脂からなる底部材６４を取り付けても良い。この場合、耐圧容器６３には、底部６３ａと胴部６３ｂとの間に底部材６４の上端面６４ａと係合する段部６３ｅが設けられる。
これにより、底部材６４をエアゾール容器６２に装着することにより、底部材６４に入射する光は、反射により上端面６４ａから放出される。そのため、エアゾール容器６２の胴部６３ｂの表示部６２ａが底部材６４によって照射され、表示部が光る。また、耐圧容器６３が透光性を有するため、耐圧容器内の内容物の残量も目視できる。底部材６４をエアゾール容器６２の上部に取り付け、キャップを兼ねるようにしてもよい。
【００３６】
図５の吐出製品７０は、エアゾール容器３１と、そのエアゾールバルブに取り付けられ
る噴射装置７２と、その噴射装置７２を覆う不透明なキャップ７３とからなる。キャップ７３によって覆われる集光樹脂製のカバー部材７４を噴射装置７２が備えている。エアゾール容器３１は、図３のエアゾール容器３１と実質的に同じものである。
【００３７】
噴射装置７２は、エアゾール容器のエアゾールバルブに装着されるカバー部材７４と、押ボタン７５とからなる。
カバー部材７４は、筒状のものであり、エアゾールバルブに装着される装着部７４ａと、その上部に設けられ、装着部より縮径したガード部７４ｂとからなり、装着部７４ａとガード部７４ｂの外周にキャップ７３を係合する係合段部７４ｃが形成されている。つまり、キャップ７３を装着することにより、ガード部７４ｂが覆われるように構成されている。また、カバー部材７３が集光樹脂製であり、カバー部材７４に入射した光がガード部材７４ｂの上端面７４ｄに導かれるように構成されている。
キャップ７３は、上面を有する筒状のものであり、光を通さない不透明な材料から構成される。
【００３８】
このように構成されるため、キャップ７３を装着しているときは、カバー部材７４に入射した光は、キャップ７３内に導かれ、使用者には目視できない。一方、キャップ７３を取り外すことにより、カバー部材７４の上端面７４ｄが露出され、カバー部材７４に入射した光が上端面７４ｄから放出されるのが目視できる。そのため、使用者は、この吐出製品７０にキャップ７３が正確に装着されているかどうか簡単にわかる。
【００３９】
図６ａ〜ｃの吐出製品８０は、エアゾール容器８１と、そのステムに取り付けられる押ボタン８２と、その押ボタンに連結された照明部８３とからなり、押ボタン８２が押圧されることにより、照明部８３の照明が点灯するものである。エアゾール容器８１は、図３のエアゾール容器３１と実質的に同じものであり、押ボタン８２は、エアゾールバルブのステムに取り付けられる円柱状のものであり、ステムと連通する噴射孔８２ａが側面に設けられている。
【００４０】
照明部８３は、押ボタン８２の上部に押ボタン８２を覆うように装着される筒状の押ボタン連結部８５と、その上部に取り付けられ、ＬＥＤ照明器具９０が収納される収納部８６と、その上端に取り付けれる球状の点灯部８７とからなる。
押ボタン連結部８５は、図６ｂに示すように、押ボタン８２を挿入する中心孔８５ａを有するものであり、下部側面に噴射孔８２ａを開放するように切欠き８５ｂ（図６ａ参照）が形成されている。
収納部８６は、底部８８ａおよび側壁８８ｂを備えた収納基部８８と、その収納基部８８を覆うように連結される収納蓋部８９とからなり、その中にＬＥＤ照明器具９０が収納される。収納蓋部８９の天面中央には、ＬＥＤ灯を通す中心孔８９ａが形成されている。ＬＥＤ照明器具９０は、図６ｂ、ｃに示すように、基板９０ａと、その基板上に取り付けられるＬＥＤ９０ｂと、基板の下に収納される電池９０ｃと、下方へ押圧することによりオン／オフを切り替えるスイッチ９０ｄとを備えている。ＬＥＤ以外の照明を用いても良い。
点灯部８７は、内部空間を有する球体状を呈しており、透光性の集光樹脂から成形されている。点灯部８７の下端には、スイッチ９０と接続する接続脚８７ａが設けられている。つまり、点灯部８７を下方に押圧することにより、接続脚８７ａがスイッチ９０ｄを押圧し、ＬＥＤのオン／オフの切替ができる。
【００４１】
このように構成されているため、点灯部８７を下方に押圧することにより、スイッチ９０ｃを操作するともに、押ボタン８２を下方に移動させることができる。それによりＬＥＤ９０ｂの点灯および内容物の噴射が同時に行われる。そのため、ＬＥＤの光は点灯部８７の内部から入光し、点灯部内で反射しながら球体状の表面から光を放出する。そのため
遠く離れている人にも噴射中であることを認識させることができる。
【符号の説明】
【００４２】
１０  吐出製品
１１  エアゾール容器
１２  噴射装置
１３  耐圧容器
１４  エアゾールバルブ
１４ａ  マウンティングカップ
１４ｂ  ハウジング
１４ｃ  ステム
１５  先端ノズル
１５ａ  先端面
１５ａ  ノズル本体
１５ｂ  ノズルチップ
１６  噴射装置本体
１７  ノズル
２１  カバー部
２１ａ  装着部
２１ｂ  ガード部
２１ｃ  段部
２１ｄ  係合突起
２２  操作部
２２ａ  操作基部
２２ｂ  中心筒
２２ｃ  押圧部
２３  ヒンジ部
２５  ノズル基部
２５ａ  下筒部
２５ｂ  中筒部
２５ｃ  上筒部
２５ｄ  フランジ部
２５ｅ  ステム係合部
２５ｆ  横連通孔
２５ｇ  ノズル内通路
３０  吐出製品
３１  エアゾール容器
３２  噴射装置
３３  リング
３３ａ  傾斜面
３４  エアゾールバルブ
３６  カバー部
３６ａ  装着部
３６ｂ  支持部
３６ｃ  ガード部
３６ｄ  基部
３６ｅ  係合突起
３６ｆ  軸受け
３７  操作部
３７ａ  ノズル基部
３７ｂ  操作基部
３８ａ  噴射孔
３８ｂ  凹部
３８ｃ  軸心
３８ｄ  押圧部
４０  吐出製品
４１  エアゾール容器
４１ａ  発光部
４２  噴射装置
４３  カバー部
４３ａ  装着部
４３ｂ  ガード部
４４  押ボタン
４５ａ  突出片
４５ｂ  開口部
４５ｃ  後方開口部
４６  押ボタン本体
４６ａ  ステム係合部
４６ｂ  ノズル係合部
４６ｃ  ボタン内通路
４７  ノズル
４８  回動部
４８ａ  基軸部材
４８ｂ  挟持部材
４８ｃ  通路
６０  吐出製品
６１  キャップ
６１ａ  下端面
６２  エアゾール容器
６２ａ  表示部
６３  耐圧容器
６３ａ  底部
６３ｂ  胴部
６３ｃ  肩部
６３ｄ  段部
６３ｅ  段部
６４  底部材
６４ａ  上端面
７０  吐出製品
７２  噴射装置
７３  キャップ
７４  カバー部材
７４ａ  装着部
７４ｂ  ガード部
７４ｃ  係合段部
７４ｄ  上端面
７５  押ボタン
８０  吐出製品
８１  エアゾール容器
８２  押ボタン
８２ａ  噴射孔
８３  照明部
８５  押ボタン連結部
８５ａ  中心孔
８５ｂ  切欠き部
８６  収納部
８７  点灯部
８７ａ  接続脚
８８  収納基部
８８ａ  底部
８８ｂ  側壁
８９  収納蓋部
８９ａ  中心孔
９０  照明器具
９０ａ  基板
９０ｂ  ＬＥＤ
９０ｃ  電池
９０ｄ  スイッチ
【図１】
2012236630.tif 000003
【図２】
2012236630.tif 000004
【図３】
2012236630.tif 000005
【図４】
2012236630.tif 000006
【図５】
2012236630.tif 000007
【図６】
2012236630.tif 000008